(57)【要約】【課題】ＲＦＩＤ等の無線通信技術を多面的に利用する。【解決手段】ＩＣカードリーダ／ライタ１００において、ＩＣカード１３０を載置するための載置部１１３には、その長手方向及び短手方向に沿った中心線で２等分した４つの領域のそれぞれに、検出用アンテナ１１２（１）〜１１２（４）が１つずつ配置されている。一方、ＩＣカード１３０において、送受信アンテナ１３２は、カード本体１３１をその長手方向及び短手方向に沿った中心線で２等分した場合に形成される４つの領域のうちの１つの領域内にのみ配置されている。このため、ＩＣカード１３０により送受信アンテナ１３２を介して送信される応答信号が、４つの検出用アンテナ１１２（１）〜１１２（４）のうちのいずれによって受信されるかを識別することによって、載置部１１３に載置されたＩＣカード１３０の向きを検出することができる。【選択図】図１
2007133597.tif 000002
【特許請求の範囲】
【請求項１】
電波による問い合わせに対して電波による応答を行う構成の可搬型媒体を検出するための検出装置であって、
所定位置に配置された複数の媒体検出用アンテナと、
前記媒体検出用アンテナを介して前記問い合わせの電波を発信する発信手段と、
前記複数の媒体検出用アンテナのうち、前記発信手段により発信された前記問い合わせの電波に対する前記可搬型媒体からの応答の電波を受信した媒体検出用アンテナを識別する識別手段と、
を備えたことを特徴とする検出装置。
【請求項２】
前記媒体検出用アンテナは、前記可搬型媒体を載置するための載置部に配置されていること
を特徴とする請求項１に記載の検出装置。
【請求項３】
前記載置部が複数設けられており、各載置部は１つの可搬型媒体を載置するためのものであること
を特徴とする請求項２に記載の検出装置。
【請求項４】
前記媒体検出用アンテナは、１つの載置部について複数配置されていること
を特徴とする請求項２又は請求項３に記載の検出装置。
【請求項５】
前記載置部は、カード形状の可搬型媒体を載置するためのものであり、
前記媒体検出用アンテナは、前記載置部に前記可搬型媒体が載置された状態で、その可搬型媒体において上下左右対称となる４箇所の所定位置のそれぞれと対応する位置に配置されていること
を特徴とする請求項４に記載の検出装置。
【請求項６】
電波による問い合わせに対して電波による応答を行う構成の可搬型媒体であって、
請求項４に記載の検出装置の載置部に載置された状態で、その載置部に配置された前記複数の媒体検出用アンテナのうちの一部の媒体検出用アンテナの位置と対応する位置に、前記応答の電波を送信するための送信アンテナが配置されていること
を特徴とする可搬型媒体。
【請求項７】
電波による問い合わせに対して電波による応答を行う構成のカード形状の可搬型媒体であって、
請求項５に記載の検出装置の載置部に載置された状態で、その載置部における４箇所に配置された媒体検出用アンテナのうちの一部の媒体検出用アンテナの位置と対応する位置に、前記応答の電波を送信するための送信アンテナが配置されていること
を特徴とする可搬型媒体。
【発明の詳細な説明】
【技術分野】
【０００１】
本発明は、電波による問い合わせに対して電波による応答を行う構成の可搬型媒体、及び、こうした可搬型媒体を検出するための検出装置に関するものである。
【背景技術】
【０００２】
従来、ＩＣチップ及びアンテナが内蔵されたカードやタグ等の可搬型媒体から電波を利用して情報を読み取る技術（ＲＦＩＤ：Ｒａｄｉｏ  Ｆｒｅｑｕｅｎｃｙ  Ｉｄｅｎｔｉｆｉｃａｔｉｏｎ）が知られている。近年では、こうした可搬型媒体を電車の定期券カードとして利用した自動改札システムが実用化されており、従来の磁気カードに比べてカードを読み取らせる操作が容易となるため利便性が向上している。
【０００３】
なお、上述した内容は公知・公用の技術であり、出願人は特に先行技術調査を行っていないため、先行技術文献の開示については行わない。
【発明の開示】
【発明が解決しようとする課題】
【０００４】
しかしながら、従来においては、ＲＦＩＤによるデータ通信の利便性の向上を図ることばかりに目が向けられており、多面的な利用については検討されていなかった。
そこで本発明は、ＲＦＩＤ等の無線通信技術を多面的に利用することを目的としている。
【課題を解決するための手段】
【０００５】
上記目的を達成するためになされた本発明の請求項１に記載の検出装置は、電波による問い合わせに対して電波による応答を行う構成の可搬型媒体を検出するためのものである。そして、この検出装置は、所定位置に配置された複数の媒体検出用アンテナと、媒体検出用アンテナを介して問い合わせの電波を発信する発信手段と、複数の媒体検出用アンテナのうち、発信手段により発信された問い合わせの電波に対する可搬型媒体からの応答の電波を受信した媒体検出用アンテナを識別する識別手段とを備えている。
【０００６】
このような構成の検出装置によれば、可搬型媒体からの応答の電波を受信した媒体検出用アンテナの位置に基づき、可搬型媒体の位置や向き等を検出することが可能となる。
例えば、請求項２の検出装置のように、媒体検出用アンテナが、可搬型媒体を載置するための載置部に配置されている構成が考えられる。この構成によれば、載置部に載置された可搬型媒体の位置や向き等を検出することが可能となる。
【０００７】
具体的には、例えば請求項３に記載のように、載置部が複数設けられており、各載置部が１つの可搬型媒体を載置するためのものである構成が考えられる。このような構成の検出装置によれば、可搬型媒体からの応答の電波を受信した媒体検出用アンテナの位置に基づき、複数の載置部のうちのどの載置部に可搬型媒体が載置されているか（つまり、可搬型媒体の位置）を検出することが可能となる。
【０００８】
また、例えば請求項４に記載のように、媒体検出用アンテナが、１つの載置部について複数配置されている構成も考えられる。このような構成の検出装置によれば、載置部に載置されている可搬型媒体の向きを検出することが可能となる。例えば、可搬型媒体が、本検出装置の載置部に載置された状態でその載置部に配置された複数の媒体検出用アンテナのうちの一部の媒体検出用アンテナの位置と対応する位置に応答の電波を送信するための送信アンテナが配置された構成（請求項６に記載の可搬型媒体）である場合には、いずれの媒体検出用アンテナにより応答の電波が受信されたかを識別することによって、可搬型媒体の送信アンテナの位置を検出することが可能となり、この結果、可搬型媒体がどのような向きで載置されているかを検出することが可能となる。そして特に、本請求項４の構成を上記請求項３の構成に適用した構成によれば、可搬型媒体の位置及び向きを検出することが可能となる。
【０００９】
また特に、請求項５に記載の検出装置のように、載置部が、カード形状の可搬型媒体を載置するためのものであり、媒体検出用アンテナが、載置部に可搬型媒体が載置された状態で、その可搬型媒体において上下左右対称（換言すれば、カードの長手方向に沿った中心線及び短手方向に沿った中心線に対してそれぞれ対称）となる４箇所の所定位置のそれぞれと対応する位置に配置されている構成によれば、載置部に載置されている可搬型媒体が表向きであるか裏向きであるかを検出することが可能となる。例えば、クレジットカードや運転免許証等のように長方形カード状に形成され送信アンテナが４隅のいずれか１つに片寄った位置に１箇所のみ設けられた可搬型媒体を検出対象とする場合、可搬型媒体の載置位置が同じであっても、送信アンテナの位置は可搬型媒体の表裏の向き及び上下の向き（カードの長手方向又は短手方向に沿った向き）に応じて４パターンとなる。このため、各パターンにおいて送信アンテナと対応する位置に媒体検出用アンテナを配置した構成とすれば、可搬型媒体の表裏の向き及び上下の向きを検出することが可能となる。
【００１０】
次に、請求項６に記載の可搬型媒体は、電波による問い合わせに対して電波による応答を行う構成の可搬型媒体であって、請求項４に記載の検出装置の載置部に載置された状態で、その載置部に配置された複数の媒体検出用アンテナのうちの一部の媒体検出用アンテナの位置と対応する位置に、応答の電波を送信するための送信アンテナが配置されている。このため、請求項６に記載の可搬型媒体によれば、上記請求項４の検出装置による検出対象として用いることができ、これにより上述した効果を得ることができる。
【００１１】
また、請求項７に記載の可搬型媒体は、電波による問い合わせに対して電波による応答を行う構成のカード形状の可搬型媒体であって、請求項５に記載の検出装置の載置部に載置された状態で、その載置部における４箇所に配置された媒体検出用アンテナのうちの一部の媒体検出用アンテナの位置と対応する位置に、応答の電波を送信するための送信アンテナが配置されている。このため、請求項７に記載の可搬型媒体によれば、上記請求項５の検出装置による検出対象として用いることができ、これにより上述した効果を得ることができる。
【発明を実施するための最良の形態】
【００１２】
以下、本発明が適用された実施形態について、図面を用いて説明する。
［第１実施形態］
図１は、第１実施形態のＩＣカードリーダ／ライタ１００及びこのＩＣカードリーダ／ライタ１００を検出対象とするＩＣカード１３０の模式的な外観図である。
【００１３】
同図に示すように、ＩＣカードリーダ／ライタ１００は、カード読取部１１０と、制御部１２０とを備えている。
カード読取部１１０は、１枚のＩＣカード１３０を載置するための載置部１１３が形成されたカード読取部本体１１１と、このカード読取部本体１１１の内部に設けられ、ＩＣカード１３０との間で無線による信号の送受信を行うための４つの検出用アンテナ１１２（１），１１２（２），１１２（３），１１２（４）とを備えている。
【００１４】
載置部１１３は、ＩＣカード１３０と同一形状（長方形状）の窪み（ＩＣカード１３０の厚み程度の深さの凹み）によりＩＣカード１３０を定位置に載置させるように構成されている。
【００１５】
検出用アンテナ１１２（１），１１２（２），１１２（３），１１２（４）は、載置部１１３のカード載置面（ＩＣカード１３０が載置される面）をその長手方向及び短手方向に沿った中心線（一点鎖線で図示）で２等分した場合に形成される４つの領域（説明の便宜上、図１でいう左上、右上、左下、右下の各領域を、「第１領域」、「第２領域」、「第３領域」、「第４領域」と称する。）のそれぞれに１つずつ配置されている。具体的には、第１領域に配置された検出用アンテナ（以下「第１検出用アンテナ」ともいう。）１１２（１）、及び、第２領域に配置された検出用アンテナ（以下「第２検出用アンテナ」ともいう。）１１２（２）と、第３領域に配置された検出用アンテナ（以下「第３検出用アンテナ」ともいう。）１１２（３）、及び、第４領域に配置された検出用アンテナ（以下「第４検出用アンテナ」ともいう。）１１２（４）とは、短手方向に沿った中心線に対して線対称となる位置にそれぞれ配置されている。また、第１検出用アンテナ１１２（１）及び第３検出用アンテナ１１２（３）と、第２検出用アンテナ１１２（２）及び第４検出用アンテナ１１２（４）とは、長手方向に沿った中心線に対して線対称となる位置にそれぞれ配置されている。つまり、各検出用アンテナ１１２（１），１１２（２），１１２（３），１１２（４）は、載置部１１３のカード載置面において上下左右対称となる４箇所の位置に配置されている。また、各検出用アンテナ１１２（１），１１２（２），１１２（３），１１２（４）は、載置部１１３に載置されたＩＣカード１３０との通信可能エリアが他の検出用アンテナ１１２（１），１１２（２），１１２（３），１１２（４）との間で互いに干渉しないように調整されており、ＩＣカード１３０と通信可能な検出用アンテナ１１２（１），１１２（２），１１２（３），１１２（４）がいずれか１つに限定されるように構成されている。
【００１６】
ここで、ＩＣカードリーダ／ライタ１００が検出対象とするＩＣカード１３０について説明する。
図１に示すように、ＩＣカード１３０は、長方形カード状に形成された樹脂製のカード本体１３１の内部に、無線による信号の送受信を行うための送受信アンテナ１３２と、送受信アンテナ１３２を介した信号の送受信制御を行うＩＣチップ１３３とを有した構成のものである。このＩＣカード１３０は、基本的には、ＲＦＩＤによるデータ通信を行う既知の非接触型ＩＣカード（例えば電車の自動改札システムに用いられる定期券カード）と同様の構成であるが、送受信アンテナ１３２の配置に特徴がある。すなわち、このＩＣカード１３０において、送受信アンテナ１３２は、カード本体１３１をその長手方向及び短手方向に沿った中心線（一点鎖線で図示）で２等分した場合に形成される４つの領域のうちの１つの領域内にのみ配置されている。具体的には、ＩＣカードリーダ／ライタ１００の載置部１１３に載置された状態において、カード載置面に配置されたいずれかの検出用アンテナ１１２（１），１１２（２），１１２（３），１１２（４）と対向する位置に配置されている。ここで、ＩＣカード１３０の送受信アンテナ１３２がＩＣカードリーダ／ライタ１００の４つの検出用アンテナ１１２（１），１１２（２），１１２（３），１１２（４）のいずれと対向するかは、載置部１１３に載置されたＩＣカード１３０の向きによって異なる。すなわち、図１に示す向き（ＩＣカードリーダ／ライタ１００の載置部１１３に対するＩＣカード１３０の向き）を第１の向きとすると、ＩＣカード１３０が第１の向きで載置部１１３に載置されている状態においては、ＩＣカード１３０の送受信アンテナ１３２がＩＣカードリーダ／ライタ１００の第１検出用アンテナ１１２（１）と対向する。また、第１の向きを基準としてＩＣカード１３０をその長手方向を軸として裏返した（１８０°回転させた）第２の向きでＩＣカード１３０が載置部１１３に載置されている状態においては、ＩＣカード１３０の送受信アンテナ１３２がＩＣカードリーダ／ライタ１００の第２検出用アンテナ１１２（２）と対向する。また、第１の向きを基準としてＩＣカード１３０をその短手方向を軸として裏返した（１８０°回転させた）第３の向きでＩＣカード１３０が載置部１１３に載置されている状態においては、ＩＣカード１３０の送受信アンテナ１３２がＩＣカードリーダ／ライタ１００の第３検出用アンテナ１１２（３）と対向する。また、第１の向きを基準としてＩＣカード１３０を表向きのまま１８０°回転させた（左上の角部が右下へ移動するように上下方向を反対にした）第４の向きでＩＣカード１３０が載置部１１３に載置されている状態においては、ＩＣカード１３０の送受信アンテナ１３２がＩＣカードリーダ／ライタ１００の第４検出用アンテナ１１２（４）と対向する。
【００１７】
一方、制御部１２０は、図２のブロック図に示すように、ＣＰＵ１２１、ＲＯＭ１２２、ＲＡＭ１２３等からなるマイクロコンピュータを中心に構成されている。そして、制御部１２０は、カード読取部１１０に設けられた４つの検出用アンテナ１１２（１），１１２（２），１１２（３），１１２（４）を選択的に（１つずつ切り替えて）用いて信号の送受信制御を行うことにより、載置部１１３に載置されたＩＣカード１３０との間で無線による通信を行う。なお、ＲＯＭ１２２には、後述する載置方向検出処理（図３）のプログラムが記憶されている。
【００１８】
次に、載置部１１３に載置されたＩＣカード１３０の向きを検出するためにＩＣカードリーダ／ライタ１００のＣＰＵ１２１が実行する載置方向検出処理について図３のフローチャートを用いて説明する。なお、本載置方向検出処理は、ＩＣカードリーダ／ライタ１００が起動された場合に開始される。
【００１９】
この載置方向検出処理が開始されると、まずＳ１０１で、第１検出用アンテナ１１２（１）を介してＩＣカード１３０へ呼出信号（ＩＣカード１３０が存在するか否かを問い合わせるための信号（応答要求））を送信する。
【００２０】
続いて、Ｓ１０２では、Ｓ１０１で送信した呼出信号に対するレスポンスとしてＩＣカード１３０により送信される応答信号が、第１検出用アンテナ１１２（１）で受信されたか否かを判定する。
【００２１】
そして、Ｓ１０２で、応答信号が受信されたと判定した場合には、Ｓ１０３へ移行し、ＩＣカード１３０が第１の向き（図１に示す向き）で載置されていると判定する。その後、Ｓ１０１へ戻る。
【００２２】
一方、Ｓ１０２で、応答信号が受信されていないと判定した場合には、Ｓ１０４へ移行し、第２検出用アンテナ１１２（２）を介してＩＣカード１３０へ呼出信号を送信する。
続いて、Ｓ１０５では、Ｓ１０４で送信した呼出信号に対するレスポンスとしてＩＣカード１３０により送信される応答信号が、第２検出用アンテナ１１２（２）で受信されたか否かを判定する。
【００２３】
そして、Ｓ１０５で、応答信号が受信されたと判定した場合には、Ｓ１０６へ移行し、ＩＣカード１３０が第２の向きで載置されていると判定する。その後、Ｓ１０１へ戻る。
一方、Ｓ１０５で、応答信号が受信されていないと判定した場合には、Ｓ１０７へ移行し、第３検出用アンテナ１１２（３）を介してＩＣカード１３０へ呼出信号を送信する。
【００２４】
続いて、Ｓ１０８では、Ｓ１０７で送信した呼出信号に対するレスポンスとしてＩＣカード１３０により送信される応答信号が、第３検出用アンテナ１１２（３）で受信されたか否かを判定する。
【００２５】
そして、Ｓ１０８で、応答信号が受信されたと判定した場合には、Ｓ１０９へ移行し、ＩＣカード１３０が第３の向きで載置されていると判定する。その後、Ｓ１０１へ戻る。
一方、Ｓ１１０で、応答信号が受信されていないと判定した場合には、Ｓ１１１へ移行し、第４検出用アンテナ１１２（４）を介してＩＣカード１３０へ呼出信号を送信する。
【００２６】
続いて、Ｓ１１１では、Ｓ１１０で送信した呼出信号に対するレスポンスとしてＩＣカード１３０により送信される応答信号が、第４検出用アンテナ１１２（４）で受信されたか否かを判定する。
【００２７】
そして、Ｓ１１１で、応答信号が受信されたと判定した場合には、Ｓ１１２へ移行し、ＩＣカード１３０が第４の向きで載置されていると判定する。その後、Ｓ１０１へ戻る。
一方、Ｓ１１１で、応答信号が受信されていないと判定した場合（つまり、いずれの検出用アンテナ１１２（１），１１２（２），１１２（３），１１２（４）によっても応答信号が受信されなかった場合）には、Ｓ１１３へ移行し、載置部１１３にＩＣカード１３０が載置されていないと判定し、Ｓ１０１へ戻る。
【００２８】
以上説明したように、本第１実施形態のＩＣカードリーダ／ライタ１００によれば、ＩＣカード１３０により送受信アンテナ１３２を介して送信される応答信号が、４つの検出用アンテナ１１２（１），１１２（２），１１２（３），１１２（４）のうちのいずれによって受信されるかを識別することによって、載置部１１３に載置されたＩＣカード１３０の向きを検出することができる。
【００２９】
なお、本第１実施形態では、ＩＣカードリーダ／ライタ１００が、本発明の検出装置に相当し、検出用アンテナ１１２（１），１１２（２），１１２（３），１１２（４）が、本発明の媒体検出用アンテナに相当し、載置方向検出処理（図３）におけるＳ１０１，Ｓ１０４，Ｓ１０７，Ｓ１１０を実行するＣＰＵ１２１が、本発明の発信手段に相当し、Ｓ１０２，Ｓ１０５，Ｓ１０８，Ｓ１１１を実行するＣＰＵ１２１が、本発明の識別手段に相当する。また、ＩＣカード１３０が、本発明の可搬型媒体に相当し、送受信アンテナ１３２が、本発明の送信アンテナに相当する。
【００３０】
［第２実施形態］
次に、第２実施形態のＩＣカードリーダ／ライタ２００について説明する。
図４は、第２実施形態のＩＣカードリーダ／ライタ２００及びこのＩＣカードリーダ／ライタ２００を検出対象とするＩＣカード２３０の模式的な外観図である。
【００３１】
同図に示すように、ＩＣカードリーダ／ライタ２００は、カード読取部２１０と、制御部２２０とを備えている。
カード読取部２１０は、１枚のＩＣカード２３０を載置するための載置部２１３（１），２１３（２），…，２１３（１６）が複数（具体的には１６）形成されたカード読取部本体２１１と、このカード読取部本体２１１の内部に設けられ、ＩＣカード２３０との間で無線による信号の送受信を行うための複数（具体的には１６）の検出用アンテナ２１２（１），２１２（２），…，２１２（１６）とを備えている。
【００３２】
各載置部２１３は、上記第１実施形態の載置部１１３と同様、ＩＣカード２３０と同一形状（長方形状）の窪み（ＩＣカード２３０の厚み程度の深さの凹み）によりＩＣカード２３０を定位置に載置させるように構成されており、本第２実施形態では、カード読取部本体２１１において、縦横各４列の碁盤の目状に配置されている。なお、説明の便宜上、図４でいう左上から右下までの各載置部２１３を、第１載置部２１３（１）、第２載置部２１３（２）、…、第１６載置部２１３（１６）とも称する。
【００３３】
検出用アンテナ２１２（１），２１２（２），…，２１２（１６）は、各載置部２１３に１つずつ配置されている。また、各検出用アンテナ２１２は、載置部２１３（１），２１３（２），…，２１３（１６）に載置されたＩＣカード２３０との通信可能エリアが他の検出用アンテナ２１２との間で互いに干渉しないように調整されており、対応する載置部２１３に載置されたＩＣカード２３０との間でのみ通信可能となるように構成されている。なお、説明の便宜上、第１載置部２１３（１）〜第１６載置部２１３（１６）のそれぞれに配置された各検出用アンテナ２１２を、それぞれ第１検出用アンテナ２１２（１）〜第１６検出用アンテナ２１２（１６）とも称する。
【００３４】
ここで、ＩＣカードリーダ／ライタ２００が検出対象とするＩＣカード２３０について説明する。
図４に示すように、ＩＣカード２３０は、長方形カード状に形成された樹脂製のカード本体２３１の内部に、無線による信号の送受信を行うための送受信アンテナ２３２と、送受信アンテナ２３２を介した信号の送受信制御を行うＩＣチップ２３３とを有した構成のものである。このＩＣカード２３０は、基本的には、ＲＦＩＤによるデータ通信を行う既知の非接触型ＩＣカード（例えば電車の自動改札システムに用いられる定期券カード）と同様の構成であり、送受信アンテナ２３２が、カード本体２３１の中央位置においてコイル状に構成されている。このため、載置部２１３におけるＩＣカード２３０の向きが変化しても、載置部２１３における送受信アンテナ２３２の位置（通信可能な部分の位置）は変化しない。
【００３５】
一方、制御部２２０は、図５のブロック図に示すように、ＣＰＵ２２１、ＲＯＭ２２２、ＲＡＭ２２３等からなるマイクロコンピュータを中心に構成されている。そして、制御部２２０は、カード読取部２１０に設けられた１６の検出用アンテナ２１２（１），２１２（２），…，２１２（１６）を選択的に（１つずつ切り替えて）用いて信号の送受信制御を行うことにより、載置部２１３（１），２１３（２），…，２１３（１６）に載置されたＩＣカード２３０との間で無線による通信を行う。なお、ＲＯＭ２２２には、後述する載置位置検出処理（図６）のプログラムが記憶されている。
【００３６】
次に、載置部２１３（１），２１３（２），…，２１３（１６）に載置されたＩＣカード２３０の載置位置を検出するためにＩＣカードリーダ／ライタ２００のＣＰＵ２２１が実行する載置位置検出処理について図６のフローチャートを用いて説明する。なお、本載置位置検出処理は、ＩＣカードリーダ／ライタ２００が起動された場合に開始される。
【００３７】
この載置位置検出処理が開始されると、まずＳ２０１で、１６の検出用アンテナ２１２のいずれを用いて信号の送受信制御を行うか選択するためのカウント値ｎに「１」を代入する。
【００３８】
続いて、Ｓ２０２では、第ｎ検出用アンテナ（ｎはカウント値）を介してＩＣカード２３０へ呼出信号（ＩＣカード２３０が存在するか否かを問い合わせるための信号（応答要求））を送信する。
【００３９】
続いて、Ｓ２０３では、Ｓ２０２で送信した呼出信号に対するレスポンスとしてＩＣカード２３０により送信される応答信号が、第ｎ検出用アンテナで受信されたか否かを判定する。
【００４０】
そして、Ｓ２０３で、応答信号が受信されたと判定されたと判断した場合には、Ｓ２０４へ移行し、ＩＣカード２３０が第ｎ載置部に載置されていると判定する。その後、Ｓ２０６へ移行する。
【００４１】
一方、Ｓ２０３で、応答信号が受信されていないと判定した場合には、Ｓ２０５へ移行し、ＩＣカード２３０が第ｎ載置部に載置されていないと判定する。その後、Ｓ２０６へ移行する。
【００４２】
Ｓ２０６では、カウント値ｎが「１６」に達したか否かを判定する。
そして、Ｓ２０６で、カウント値ｎが「１６」でないと判定した場合には、ｎの値に「１」を加算して、Ｓ２０２へ戻る。
【００４３】
一方、Ｓ２０６で、カウント値ｎが「１６」であると判定した場合には、Ｓ２０１へ戻る（カウント値ｎを「１」に戻す）。
以上説明したように、本第２実施形態のＩＣカードリーダ／ライタ２００によれば、ＩＣカード２３０により送受信アンテナ２３２を介して送信される応答信号が、１６の検出用アンテナ２１２（１），２１２（２），…，２１２（１６）のうちのいずれによって受信されるかを識別することによって、ＩＣカード２３０の載置位置を検出することができる。
【００４４】
なお、本第２実施形態では、ＩＣカードリーダ／ライタ２００が、本発明の検出装置に相当し、検出用アンテナ２１２（１），２１２（２），…，２１２（１６）が、本発明の媒体検出用アンテナに相当し、載置位置検出処理（図６）におけるＳ２０２を実行するＣＰＵ２２１が、本発明の発信手段に相当し、Ｓ２０３を実行するＣＰＵ２２１が、本発明の識別手段に相当する。また、ＩＣカード２３０が、本発明の可搬型媒体に相当し、送受信アンテナ２３２が、本発明の送信アンテナに相当する。
【００４５】
以上、本発明の一実施形態について説明したが、本発明は、種々の形態を採り得ることは言うまでもない。
例えば、上記第１実施形態のＩＣカードリーダ／ライタ１００のように検出用アンテナが複数配置された構成の載置部を、上記第２実施形態のＩＣカードリーダ／ライタ２００のように複数設けた構成としてもよい。このような構成のＩＣカードリーダ／ライタによれば、ＩＣカードの位置及び向きを検出することができる。また、ＩＣカードからの情報に基づき、複数のＩＣカードを識別する構成とすれば、どのＩＣカードがどの載置部にどのような向きで載置されているかを検出することができる。
【００４６】
このような検出は、例えばアミューズメントの分野で利用することができる。すなわち、従来のカードゲーム機として、カードに印刷されたバーコードを読み取り、読み取った情報に基づきゲームの勝敗を判定するものが知られているが、本発明によれば、ＩＣカードに記憶されている情報のみならず、ＩＣカードの載置位置や向きに基づきゲームの勝敗が左右されるカードゲームが実現可能となり、従来のカードゲーム機に比べ、娯楽性の高いカードゲーム機を提供することができる。特に、ＩＣカードに内蔵されるＩＣチップとして記憶データの書き換えが可能なものを用いれば、ゲームに用いるパラメータや過去の情報（成績）等をＩＣカードに記憶させておくことができるため、複雑なルールのゲームにも対応することができる。
【００４７】
一方、本発明の可搬型媒体はカード形状のものに限定されるものではない。例えば、すごろくのコマ等に、アンテナ及びＩＣチップを設けた構成とし、すごろくのマス目を載置部とすれば、どのコマがどの位置にいるかの検出や、各コマのパラメータの管理が可能となり、ゲームにおける計算等の自動化や不正の防止を図ることができる。
【図面の簡単な説明】
【００４８】
【図１】第１実施形態のＩＣカードリーダ／ライタ及びＩＣカードの模式的な外観図である。
【図２】第１実施形態のＩＣカードリーダ／ライタのブロック図である。
【図３】載置方向検出処理のフローチャートである。
【図４】第２実施形態のＩＣカードリーダ／ライタ及びＩＣカードの模式的な外観図である。
【図５】第２実施形態のＩＣカードリーダ／ライタのブロック図である。
【図６】載置位置検出処理のフローチャートである。
【符号の説明】
【００４９】
１００，２００…ＩＣカードリーダ／ライタ、１１０，２１０…カード読取部、１１２，２１２…検出用アンテナ、１１３，２１３…載置部、１２０，２２０…制御部、１３０，２３０…ＩＣカード、１３２，２３２…送受信アンテナ
【図１】
2007133597.tif 000003
【図２】
2007133597.tif 000004
【図３】
2007133597.tif 000005
【図４】
2007133597.tif 000006
【図５】
2007133597.tif 000007
【図６】
2007133597.tif 000008